(57)【要約】【課題】折り畳みかつ広げることが可能で、パネルハウジングの間に配設された弱い回路連結線が露出されることなく、カバーにより保護する携帯用表示装置を提供する。【解決手段】ディスプレイが装着された少なくとも二つ以上からなるパネルハウジングと、前記パネルハウジングに装着されてディスプレイの回路を連結する回路連結線とを備え、前記パネルハウジングは折り畳むことができ、前記二つのディスプレイが広がる場合には、ディスプレイ間の距離は４〜５ｍｍ以内であり、ディスプレイの間にパネルハウジング側壁または保護手段が存在する携帯用表示装置。【選択図】図４
2011150356.tif 000002
【特許請求の範囲】
【請求項１】
ディスプレイが装着された少なくとも二つ以上からなるパネルハウジングと、
前記パネルハウジングに装着されてディスプレイの回路を連結する回路連結線とを備え、
前記パネルハウジングは折り畳むことができ、
前記二つのディスプレイが広がる場合には、ディスプレイ間の距離は４〜５ｍｍ以内であり、ディスプレイの間にパネルハウジング側壁または保護手段が存在することを特徴とする携帯用表示装置。
【請求項２】
前記連結手段はキャップ軸とそのキャップ軸に挿入される挿入軸を含み、回路連結線の通路として機能することを特徴とする請求項１記載の携帯用表示装置。
【請求項３】
前記回路連結線がパネルハウジング側壁の外部に露出される場合に、前記回路連結線はパネルハウジングの外部と、パネルハウジングが折られる時にディスプレイ側面をカバーするカバーとの間を通ることを特徴とする請求項１記載の携帯用表示装置。
【請求項４】
前記ディスプレイが装着されたパネルハウジングは、一方のパネルハウジングの厚さがもっと薄いことを特徴とする請求項１記載の携帯用表示装置。
【請求項５】
前記パネルハウジングの折り畳み式連結手段として軸が備えられる場合に、前記軸はディスプレイの両端でありながら、また、軸の側面を回路連結線が通る、開口が存在することを特徴とする請求項１記載の携帯用表示装置。
【請求項６】
前記連結手段の一つがパネルハウジングと一体形に形成されることを特徴とする請求項２記載の携帯用表示装置。
【請求項７】
前記パネルハウジングの折り畳み式連結手段として、主軸と、主軸周辺に二つの補助軸が連結されていることを特徴とする請求項１記載の携帯用表示装置。
【発明の詳細な説明】
【技術分野】
【０００１】
本発明は少なくとも二つ以上の折り畳み式パネルハウジングを備える携帯用表示装置に関し、特に、パネルハウジングに装着されたディスプレイが広げて一つの画面を形成する時、パネルハウジングで回路連結線が露出しないようにカバーする携帯用表示装置に関する。
【背景技術】
【０００２】
通常、二つ以上のディスプレイを用いて一つの大画面を構成する方法は大型表示装置に適用して用いられている。最近、移動情報装置においても無線インターネットの機能が付加されることによって、大画面の必要性が増加された。しかし、携帯用表示装置で大画面は移動などの携帯的な特性を生かさないので、折り畳み式携帯用表示装置が提案された。
一般に携帯用表示装置には、ＬＣＤ（Liquid Crystal Display）、ＴＦＴ（Thin film Transistor）−ＬＣＤ、ＦＥＤ（Field Emission Display）、ＰＤＰ（Plasma Display Panel）、ＥＬ（Electro Luminescent）、電子ペーパ（Electronic papaer）などの平板ディスプレイが用いられる。
【０００３】
マルチディスプレイを採用した携帯用表示装置で携帯性を高めるために、隣接したパネルハウジングで回路を連結するために回路連結線が使用されたが、回路連結線はフレキシブルであるので、外部衝撃に弱い短所を有する。
【発明の概要】
【発明が解決しようとする課題】
【０００４】
従って、本発明は前記のような従来技術の問題点を解消するために創案するものである。
【０００５】
本発明の目的は、ディスプレイが装着された少なくとも二つ以上からなるパネルハウジングと、回路を含み、前記パネルハウジングを広げるときに回路を連結する回路連結線が露出されないようにカバーして一つの画面を構成する携帯用表示装置を提供することにある。
【課題を解決するための手段】
【０００６】
前記目的を実現するために、本発明の携帯用表示装置は、ディスプレイが装着された少なくとも二つ以上からなるパネルハウジングと、前記パネルハウジングを連結する折り畳み式連結手段と、前記パネルハウジングに装着されてディスプレイの回路を連結する回路連結線および前記回路連結線が露出されないようにカバーするカバーを含む。
【０００７】
前記回路連結線の通路になる回路連結口をパネルハウジングの隣接する側面に形成し、前記回路連結線をカバーするカバー手段をパネルハウジング側面に形成する。
【０００８】
前記ディスプレイの繋ぎ目部の間に隙がある時、内側に露出される回路連結線をカバーする内側カバーを備えることが望ましい。また、前記ディスプレイの繋ぎ部の間に隙がある時、繋ぎ部の隙を遮ることが望ましい。
【０００９】
本発明のまた他の実施形態として、前記連結手段はキャップ軸とそのキャップ軸に挿入される挿入軸を含んで、回路連結線の通路になる。
【００１０】
前記連結手段の一つはパネルハウジングに形成された連結切開部に付着される。
【００１１】
前記キャップ軸とパネルハウジングの連結切開部が合う部分にキャップ回路口が設けられる。
【００１２】
前記挿入軸とパネルハウジングの連結切開部が合う部分に切開挿入口が設けられ、そして挿入軸とキャップ回路口が合う部分に挿入連結口が設けられ、切開挿入口が座標上で第３領域に存在すると、挿入連結口は第１領域から第２領域にかけて存在する。
【００１３】
前記パネルハウジングが第１パネルハウジングと第２パネルハウジングを含む事ができ、キャップ軸の一部が第１パネルハウジングの表面の下に形成され、挿入軸が第２パネルハウジングに形成されて、パネルハウジングを畳むまたは広げる時、キャップ回路口と合う挿入軸の部分の全てにかけて挿入連結口が形成される。
【００１４】
前記挿入軸とキャップ軸がパネルハウジングの回転連結手段に設けられ、第１パネルハウジングはキャップ軸を装着するための連結切開部を形成し、第２パネルハウジングは挿入軸を装着するための連結切開部を形成して、第１パネルハウジングには挿入軸を収容する連結切開部が形成され、第２パネルハウジングにはキャップ軸が収容する連結切開部が形成される。
【００１５】
前記パネルハウジングが第１パネルハウジングと第２パネルハウジングを含む時、キャップ軸の一部が第１パネルハウジングの表面の下に形成され、挿入軸が第２パネルハウジングに形成されて、第１パネルハウジングにキャップ軸に結合される挿入軸を収容する連結切開部が形成される。
【００１６】
本発明のまた他の実施形態によると、前記挿入軸の一部が第１パネルハウジングの表面の下部に形成され、キャップ軸が第２パネルハウジングに形成されて、第１パネルハウジングに挿入軸に結合されるキャップ軸を収容する連結切開部が形成される。
【００１７】
前記連結手段の一つがパネルハウジングと一体形に形成されうる。
【００１８】
本発明の望ましい実施例を以下具体的に説明する。
【発明の効果】
【００１９】
本発明の携帯用表示装置は、折り畳みかつ広げることが可能で、パネルハウジングの間に配設された弱い回路連結線が露出されることなく、カバーにより保護することができる。
【図面の簡単な説明】
【００２０】
【図１】本発明の携帯用表示装置を広げた状態の第１実施形態の図である。
【図２】本発明の携帯用表示装置を広げた状態の第１実施形態の図である。
【図３】本発明の携帯用表示装置を広げた状態の第１実施形態の図である。
【図４】本発明の携帯用表示装置のパネルハウジングが広げられた状態の断面図である。
【図５】本発明の携帯用表示装置のパネルハウジングが広げられた状態の断面図である。
【図６】本発明の携帯用表示装置のパネルハウジングが広げられた状態の断面図である。
【図７】ディスプレイを装着する構造体を表した図である。
【図８】ディスプレイを装着する構造体を表した図である。
【図９】ディスプレイを装着する構造体を表した図である。
【図１０】シャシーで囲まれたディスプレイを表した実施例の図である。
【図１１】シャシーで囲まれたディスプレイを表した実施例の図である。
【図１２】シャシーで囲まれたディスプレイを表した実施例の図である。
【図１３】本発明の携帯用表示装置が折り畳まれた状態の斜視図である。
【図１４】ディスプレイが装着されたパネルハウジングを表した図である。
【図１５】回路連結線とシャシーが備わったパネルハウジングの分解図である。
【図１６】回路連結線が示された折り畳み式表示装置を表した図である。
【図１７】回路連結線の内側カバーを表した図である。
【図１８】回路連結線の内側カバーを表した図である。
【図１９】信号連結線を表した図である。
【図２０】信号連結線を表した図である。
【図２１】二つのパネルハウジングの回転連結手段を表した図である。
【図２２】二つのパネルハウジングの回転連結手段を表した図である。
【図２３】二つのパネルハウジングの回転連結手段を表した図である。
【図２４】二つのパネルハウジングの回転連結手段を表した図である。
【図２５】回転連結手段が回路連結線の通路になる実施形態の図である。
【図２６】回転連結手段が回路連結線の通路になる実施形態の図である。
【図２７】回転連結手段が回路連結線の通路になる実施形態の図である。
【図２８】回転連結手段が回路連結線の通路になる実施形態の図である。
【図２９】第２パネルハウジングに設けられた第１連結手段を表した図である。
【図３０】第２パネルハウジングに設けられた第１連結手段を表した図である。
【図３１】第２パネルハウジングに設けられた第１連結手段を表した図である。
【図３２】第２パネルハウジングに設けられた第１連結手段を表した図である。
【図３３】他の回転連結構造を有する表示装置を表した図である。
【図３４】第１パネルハウジングと第２パネルハウジングに設けた第１連結手段と第２連結手段を表した図である。
【図３５】第２パネルハウジングと第１連結手段を表した図である。
【図３６】第２パネルハウジングと第１連結手段を表した図である。
【図３７】第１パネルハウジングと第２連結手段を表した図である。
【図３８】第１連結手段が設けられた第１パネルハウジングを表した図である。
【図３９】パネルハウジングに設けられた連結手段の他の実施形態の図である。
【図４０】パネルハウジングに設けられた連結手段の他の実施形態の図である。
【図４１】パネルハウジングに設けられた連結手段の他の実施形態の図である。
【図４２】連結手段のまた他の実施形態の図である。
【図４３】連結手段のまた他の実施形態の図である。
【発明を実施するための形態】
【００２１】
本発明は少なくとも二つ以上の平板ディスプレイを相互連結して一つの画面を実現できる折り畳み式携帯用表示装置を提供する。平板ディスプレイパネルとしてはＬＣＤ（Liquid Crystal Display）、ＴＦＴ（Thin film Transistor）−ＬＣＤ、ＦＥＤ（Field Emission Display）、ＰＤＰ（Plasma Display Panel）、ＥＬ（Electro Luminescent）、電子ペーパ（electronic papaer）などを用いることができる。
【００２２】
少なくとも二つ以上の平板ディスプレイを相互隣接して一つの画面を形成するために、ディスプレイの少なくとも一つの側面は互いに接触したり、少なくとも４ｍｍ以内に近接され、これは、二つ以上のディスプレイが互いに連結されて一つの画面を見ることができる程度に各々のディスプレイが互いに近く配置されることを意味する。
【００２３】
本発明によれば、二つ以上の平板ディスプレイを相互隣接に配置され、一つの画面が形成される。
【００２４】
図１〜３は本発明の第１実施形態の携帯用表示装置を表す図であり、折り畳まれた状態および広げられた状態を示す。
【００２５】
図１に示したように、携帯用表示装置は、二つのディスプレイ２、４と前記ディスプレイが装着された二つのパネルハウジング２０、４０を備えている。前記表示装置が広がる場合には、ディスプレイ２、４の一つの側面が互いに相接したり、４〜５ｍｍ以内に近接して一つの画面を形成する。
【００２６】
二つのパネルハウジング２０、４０は連結手段６によって連結され、前記連結手段は第１連結手段６２と第２連結手段６１とからなり、第１連結手段６２は第２連結手段６１に挿入されて連結される。
【００２７】
特に、本発明で、連結手段６はパネルハウジングに備わってディスプレイ２、４が互いに近く配置される。
【００２８】
図２は本発明の携帯用表示装置が折り畳まれた状態を示す図である。
【００２９】
パネルハウジング２０、４０の隣接した側面にはそれを保護するためのカバー手段１０が備わる。
【００３０】
また、パネルハウジングが折り畳まれた時には、前記カバー手段１０はディスプレイ２、４の側面をカバーする。しかし、パネルハウジングが広げられる時には、前記カバー手段１０はディスプレイ２、４の側面を保護せず、ディスプレイが一つの画面を形成する程度に互いに近く配置される。
【００３１】
図３はカバー手段を除去した折り畳まれた状態の表示装置を表す図である。
【００３２】
パネルハウジング２０、４０の隣接した側面には、パネルハウジングが折り畳まれた時にカバー手段１０を受納する受納空間６０が備わる。ディスプレイ２とディスプレイ４の間に繋ぎ目の隙８ａが存在し、その間隙は狭いことが望ましい。
【００３３】
図３で、ディスプレイ２、４の隣接した側面を点線で示すが、これはディスプレイ２、４の側面が露出される場合と露出されない場合を表すためである。即ち、図４の構造において、ディスプレイの側面が露出されるが、図６のように、パネルハウジングに連結繋ぎ目が存在すると、ディスプレイの側面は露出されない。そして、前記カバー手段１０はディスプレイが相互引接されたり密着されることを妨害しないように、パネルハウジング２０、４０が折り畳まれ、かつ広げられることによって動く。このために、パネルハウジング２０、４０とカバー手段１０をカバー手段のコーナにそなえる弾性装置１０ａで連結してカバー手段１０がパネルハウジング２０、４０が折り畳まれ、かつ広げられることによって動くことができる。
【００３４】
図４〜６はパネルハウジングが広げられた状態の断面図である。
【００３５】
図４に示したように、パネルハウジング２０、４０の上端にディスプレイ２、４が設けられる。パネルハウジング２０、４０が広げられて、その側面はディスプレイ２、４と共に互いに密着された状態になる。
【００３６】
パネルハウジング２０、４０が広げられる時、ディスプレイ２、４が互いに隣接されるようにするために、パネルハウジング２０、４０の隣接した側面の上端にディスプレイ２、４が設けられる。ディスプレイ２、４が相互隣接されるようにするためには、パネルハウジングの側面を切開して開口８ｂを形成し、その開口８ｂを通じてディスプレイ２、４が互いに接触する。
【００３７】
即ち、パネルハウジング２０、４０が広げられる時、パネルハウジング２０、４０の切開された開口８ｂを通じてディスプレイ２、４が相互連結されて一つの画面が形成されるようにする。
【００３８】
パネルハウジング２０、４０の内部には各種回路および装置２５、４５が設けられ、ディスプレイ２、４を支える下敷き部２６、４６がまた設けられる。図面で、カバー手段１０は便宜上、図示省略した。図２および図３に示したように、パネルハウジング２０、４０が広げられると、カバー手段１０はディスプレイ２、４の側面をカバーせず、ディスプレイ２、４の後側に位置する。
【００３９】
回転中心Ａの延長線はカバー２４の表面と一致する。即ち、回転中心の高さは覆いの高さと同一である。
【００４０】
図５はディスプレイの上端に保護手段が設けられた実施形態の図である。図示したように、カバー２４とパネルハウジング２０、４０の側面に段差２４ａ、２０ｃを形成する。前記カバー２４に保護手段１４が装着されるので、ディスプレイ２、４の側面と画面表示部であるディスプレイの前面が保護手段１４により保護される。前記保護手段１４の側面を前面よりも薄く形成して画面非表示領域である繋ぎ目部８を最小化することができる。前記保護手段１４の側面はできるだけ薄くしながら堅固にすべきであるので、金属膜とか樹脂フィルムに金属若しくは無機物膜をコーティングした材料を使用することができる。
【００４１】
前記保護手段１４の下部にマイクロプリズムまたはマイクロレンズのような光学手段２７を設けることができる。保護手段１４と光学手段２７は一体にすることができる。前記保護手段は２ｍｍ以下であったり、１ｍｍ以下または０．５ｍｍ以下に薄く形成する。
【００４２】
図６はパネルハウジング２０、４０の側面に連結繋ぎ部が設けられた実施形態の図面である。パネルハウジング２０、４０が広げられると、ディスプレイ２、４の間に連結繋ぎ部２０ａ、４０ａが位置される。前記連結繋ぎ部２０ａ、４０ａはパネルハウジングの側面の開口８ｂを塞ぐようになる。従って、ディスプレイは開口８ｂ若しくは連結繋ぎ部２０ａ、４０ａを通じて相互引接されるようになる。
【００４３】
前記連結繋ぎ部２０ａ、４０ａはパネルハウジング２０、４０の他の部分より薄く形成するか、若しくは、厚さを１ｍｍ以下、または０．５ｍｍ以下にすることができる。
【００４４】
図４に示したように、パネルハウジング２０、４０の側面に開口８ｂが形成されて、ディスプレイの側面が接触されるようになる。そして、図５および図６に示したように、保護手段１４と連結繋ぎ部２０ａ、４０ａがパネルハウジングに形成された場合には、ディスプレイは４〜５ｍｍの範囲内に互いに近く配置され、３ｍｍ以下であるのが望ましい。
【００４５】
即ち、本発明によると、ディスプレイ２、４は一つの画面を見ることができるように互いに配置される。
【００４６】
図７〜９はディスプレイを装着する構造体を表す図である。
【００４７】
通常、ディスプレイ２、４はディスプレイパネル２ａのみならず、駆動回路基板４０、バックライト３０などが装着された構造体１６０を含むことを意味する。本発明は、ディスプレイの繋ぎ部８に相応する構造体１６０の側面も切断されて、ディスプレイ２、４間の画面非表示領域を最小化することを目的とするものである。このために、構造体１６０にも連結繋ぎ部１６０ｅ、１６０ｆを備える。
【００４８】
構造体１６０の内には掛かり部１６１と掛かり孔１６１ａが備わって、前記掛かり部と掛かり孔を通じて構造体１６０をパネルハウジング２０、４０とかシャシー１６に装着する。この実施形態で、構造体１６０の連結繋ぎ部はパネルハウジングの繋ぎ部８に装着されて画面非表示領域が最小化されうる。
【００４９】
図８は構造体の側面を完全に切開して開放された形態の連結繋ぎ部１６０ｅ、１６０ｆを表した図である。
【００５０】
図９は構造体の他の部分より連結繋ぎ部１６０ｅ、１６０ｆを薄く形成した他の構造体を示し、その厚さが０．５〜０．３ｍｍの範囲内に形成された。図９では、薄く形成された連結繋ぎ部１６０ｅ、１６０ｆを点線で表した。
【００５１】
構造体の支持板にはバックライトとディスプレイパネル２ａ、４ａが装着される。
【００５２】
図１０〜１２はシャシーで囲まれたディスプレイを示す。
アルミニウムで作られるシャシー１６はディスプレイパネル２ａと通常のフィルムタイプの構造である駆動回路基板２ｂ、２ｃを囲む。
ディスプレイ２、４はディスプレイパネル２ａのみならず、駆動回路基板４０、バックライト３０が装着されたシャシー１６を意味する。
【００５３】
駆動回路基板２０ｂ、２０ｃはディスプレイパネル２ａの外部電極部２ｋに折り畳まれた状態にシャシー１６若しくは構造体１６０に装着される。ディスプレイパネル２ａの上板２ｊと下板２ｊの各々に連結された外部電極部２ｋに駆動回路基板２ｂ、２ｃが折られるとディスプレイの大きさが小さくなる。
【００５４】
図１１はシャシーがディスプレイパネル２ａと回路及びバックライト３０を囲むことを示す断面図である。シャシー１６の繋ぎ目部８ではディスプレイパネル２ａの上部を囲むことなく画面非表示領域が最小化される。
【００５５】
本発明で、繋ぎ目部８は、ディスプレイが広げたときに、ディスプレイ２、４が隣接に位置する部分を意味する。
【００５６】
また、シャシー１６の連結繋ぎ部１６ａはディスプレイの側面を囲み、画面非表示領域を少なくするために、他の部分より薄く形成することもできる。
【００５７】
シャシー１６は掛かり部によってパネルハウジング２０、４０に固定されることができる。  この時、シャシー１６の連結繋ぎ部がパネルハウジング２０、４０の繋ぎ目部８に装着されて画面非表示領域が最小化されうる。
【００５８】
図１２は開放された形態の連結繋ぎ部を有するシャシーを表した図である。
【００５９】
この実施形態で、非常に近く近接して隣接されるディスプレイの側面に相応する繋ぎ目部８を切開して開放形態にする。従って、図１２の連結繋ぎ部１６ａは開放された形態を有してディスプレイパネルの側面が露出される。
【００６０】
図１３は折畳み式携帯用表示装置が折り畳まれた状態の図である。
表示装置が折り畳まれた状態では、パネルハウジング２０、４０の側面２０ａ、４０ａにディスプレイ２、４の側面が露出される。
【００６１】
そして、パネルハウジング２０、４０の間を回路的に連結する回路連結線８３が露出される。回路連結線８３は、例えば、ＦＰＣ（Ｆｌｅｘｉｂｌｅ Ｐｒｉｎｔｅｄ Ｃｉｒｃｕｉｔ）からなって、パネルハウジング２０、４０の側面に設けられた回路連結口８１、８２が回路連結線８３の通路になる。
【００６２】
回路連結線のためのほかの形態の回路連結口８１、８２がディスプレイ２、４の外側に形成されうる。
【００６３】
図１４はパネルハウジングとディスプレイの組み立てを表した図である。
【００６４】
図面に示したように、ディスプレイの側面２０ａに回路連結口８１が形成されて、回路連結口８１を通じて回路連結線８３が外部に連結される。コネクター８３ａによって、パネルハウジング２０とパネルハウジング４０を回路的に連結したり、分離することができる。
【００６５】
パネルハウジングの角部分を切開して連結切開部６ａを形成して前記連結切開部６ａにパネルハウジングを回転できるようにする連結手段６が付着される。
【００６６】
図１５は回路連結線が備わったシャシーがパネルハウジングに装着される分解図である。
【００６７】
シャシー１６の内部にはディスプレイ４が装着され、回路連結線８３とコネクター８３ａを通じて外部の回路と連結される。シャシー１６に装着されたディスプレイ４をパネルハウジング４０に装着し、回路連結線８３は回路連結口８２を通じてパネルハウジングの外部に露出する。
【００６８】
従って、パネルハウジング２０の本体部から出力される駆動信号がパネルハウジング２０、４０のディスプレイ２、４を駆動することができる。
【００６９】
シャシー１６がパネルハウジング４０に装着されると、覆い４０を覆ってディスプレイ４の上部の縁を保護する。
【００７０】
図１３に示したように、携帯用表示装置を畳むと、側面２０ａ、４０ａに回路連結線８３が露出される。従って、図２および図３に示したように、カバー手段１０によって露出された回路連結線８３を遮る。従って、回路連結線８３はパネルハウジング２０、４０の側面とカバー手段１０の間を通じて連結される。
【００７１】
このために、回路連結線８３はカバー手段１０の内側に備えて、カバー手段１０はカバー溝６０によって収納される。従って、フレキシブルであって衝撃に弱い回路連結線８３をカバー手段１０が保護する。
【００７２】
図１６は携帯用表示装置の回路連結線を表した部分図である。
【００７３】
図１６は図１３で点線で表した位置に回路連結口８１ａ、８２ａが備わった場合を表した。携帯用表示装置を折り畳むと、ディスプレイ２、４の繋ぎ目部８′の間に繋ぎ目部の隙８″が生じて、前記繋ぎ目部の隙８″を通じて回路連結線８３が見える。
従って、表示装置を折り畳む場合、内側から見える回路連結線８３をカバーする手段を備える必要がある。
【００７４】
図１７および図１８は回路連結線の内側カバーを表した図である。
【００７５】
図１７は内側カバーが備わったパネルハウジングを表した図であり、内側カバー８４はパネルハウジングの側面２０ａのディスプレイの装着部２０ｂの下端で回路連結線を覆う。図１６に示したように、露出された回路連結線８３は内側カバー８４によってカバーされる。
【００７６】
図１８はパネルハウジングで内側カバーを分離した形態を表した図である。内側カバー８４はカバー掛け８４ａ、８４ｂによって、回路連結口８１ａに固定される。回路連結口８１ａの上端に溝８１ｃが形成されて内側カバー８４がスライディング移動ができるようにする。カバー掛け８４ａ、８４ｂが溝８１ｃに掛かって内側カバー８４が外れないようにされている。
【００７７】
即ち、第１カバー掛け８４ａはパネルハウジング２０の溝８１ｃに掛かって、第２カバー掛け８４ｂはパネルハウジング４０の溝８１ｃ（図示しない）に掛かる。内側カバーの本体８４ｃは回路連結口の上端をスライディングされ移動できるようにする。
【００７８】
また、内側カバーは不透明なゴムやプラスチック材などで作られることが好ましい。
【００７９】
一方、内側カバー本体８４ｂの幅をディスプレイ２、４の幅より広くすることもできる。この場合に、表示装置を畳む場合、繋ぎ目部８′の間の繋ぎ目部の隙８″を内側カバー８４が全部遮るようになる。
【００８０】
図１９および図２０は信号連結線を表した図である。
【００８１】
信号連結線８３′が環形であると、表示装置の内で信号連結線が占める面積が縮む。
【００８２】
図２０はＦＰＣ形態の信号連結線を表した図であり、フレキシブルであって曲がりうる。
【００８３】
図２１〜２４はパネルハウジングの回転連結構造を表す。
【００８４】
本発明によると、連結手段６は回転軸を有してパネルハウジング２０、４０は広げられたり、折り畳まれる構造を有する。
【００８５】
図２１は連結手段６を表す底面図であり、図２２は連結手段６の中心を表す部分断面図である。
【００８６】
図２３に示したように、パネルハウジング２０、４０が広げられると、面Ｌ、Ｍが互いに相接し、また、パネルハウジング２０、４０を折り畳むと、パネルハウジングの側面の面Ｉ、Ｊが互いに相接する。
【００８７】
図２４は連結手段の中心を示す。連結手段６の回転軸の中心は相接する面Ｉ、Ｊの延長線と、相接する面Ｌ、Ｍの延長線が互いに合う点になる。
【００８８】
パネルハウジングは１８０度まで広げられうる。
【００８９】
しかし、回転軸の中心が前記二つの延長線が合う点と正確に一致しなくても、図２２および図２４に示した点線で表示された部分（図ではｑで表記される）以内に配置でき、ｑで表した部分の直径は連結手段直径の１／３程度の大きさである。
【００９０】
また、回転軸としての連結手段６はパネルハウジング２０、４０の両縁に存在して、パネルハウジングが広げられる時、ディスプレイ２、４が互いに近く配置することを妨げないようにする。
【００９１】
図２５および２８は連結手段が信号連結線の通路になる他の実施形態を示す。連結手段６はキャップ軸６１とキャップ軸に挿入される挿入軸６２が備わる。連結手段６１と６２は環形であり、そして、これらが軸に組み立てれば内部空間は回路連結線８３の通路になる。
【００９２】
図２５はキャップ軸を表した図であり、パネルハウジング２０に形成された連結切開部６ａにキャップ軸６１が設けられる。
【００９３】
図２６はＡ方向から見た側面図であって、図２７はＢ方向から見た側面図である。
【００９４】
図２８はキャップ軸を分離した形態の斜視図である。
【００９５】
連結切開部６ａの底には孔形態の切開部回路口６ｂが備わって、これに相応してキャップ軸６１にも孔形態のキャップ回路口６１ａが備わる。キャップ軸連結手段は内部が明けられており、他端は挿入軸６２が挿入されるように開放されている。キャップ連結手段を連結切開部に付着すると、キャップ回路口６１ａと切開部の回路口６ｂが向き合うように付着する。従って、パネルハウジング２０からの回路連結線８３、８３′は切開部の回路口６ｂとキャップ軸のキャップ回路口６１ａを通じてパネルハウジング４０と連結される。
【００９６】
また、キャップ軸連結手段６１とパネルハウジング２０の連結切開部を一体形に製作することができ、キャップ軸と連結切開部の境界部分に孔を形成することもできる。
【００９７】
図２９〜３２はパネルハウジングと挿入軸連結手段を表した図である。
【００９８】
図２９はパネルハウジング４０の連結切開部６ａに挿入軸が備わった状態を示す。連結手段６２に回路連結線８３、８３′の通路になる挿入連結口６２ａを形成する。パネルハウジング４０の連結切開部６ａにも挿入軸６２と合う底部に孔が形成されている。また、挿入軸連結手段６２はパネルハウジング４０の連結切開部に一体形に組み立てられる。図３０は図２９の矢印Ａの方向から見た正面図であり、図３１は図２９の矢印Ｂの方向から見た側面図である。
【００９９】
図３２は挿入軸連結手段の詳細な構造を表した図である。
図３２で、パネルハウジング４０で挿入軸連結手段６２を分離してその詳細な構造を示した。挿入軸連結手段６２と挿入側面板６２ｅを切り欠いて示した。
【０１００】
挿入軸連結手段６２と連結切開部６ａが合うところに切開挿入口６２ｄが備わって、切開挿入口６２ｄの反対側に挿入連結口６２ａが備わる。また、パネルハウジング４０の連結切開部６ａにも孔が形成される。
【０１０１】
挿入軸連結手段６２がネルハウジング４０の連結切開部に一体に組み立てると、挿入軸と連結切開部が合う部分に孔を形成することもできる。
【０１０２】
連結切開部６ａと挿入軸連結手段６２の位置を図３２右側に示された座標を基準に説明した。挿入軸連結手段６２の切開挿入口６２ｄが第３領域にあれば、挿入連結口６２ａは第１領域から第２領域にかけて存在すべきである。即ち、挿入連結口６２ａは切開挿入口６２ｄの反対側と直角側に対称される位置に存在する。
【０１０３】
このように挿入連結口６２ａの位置が定まるのは、連結手段６１が回転するためである。即ち、パネルハウジング２０、４０が折られる時と広げられる時の、キャップ回路口６１ａと相接する連結手段６１での位置が変わるからである。
【０１０４】
前記キャップ軸連結手段６１に挿入軸連結手段６２が挿入されて、パネルハウジング２０とパネルハウジング４０が図１のように回転できるように結合される。即ち、パネルハウジング２０にはキャップ軸連結手段６１が備わるための連結切開部６ａを形成し、パネルハウジング４０には挿入軸連結手段６２が備わるための連結切開部６ａが形成される。
【０１０５】
図１３および図１４に示したように、パネルハウジングの本体部（図示しない）からの回路連結線８３、８３′がパネルハウジング２０に形成された連結切開部６ａの切開部回路口６ｂとキャップ軸連結手段６１のキャップ回路口６１ａを通過し、挿入軸６２の挿入連結口６２ａを経て切開挿入口６２ｄも経て最終的にパネルハウジング４０の連結切開部６ａを通過する。従って、ディスプレイ４も連結される。
【０１０６】
しかし、パネルハウジング２０の連結切開部に挿入軸連結手段６２が設けられ、パネルハウジング４０の連結切開部にキャップ軸連結手段６１が設けられうる。回路連結線８３、８３′が上記のように反対に連結されうる。
【０１０７】
パネルハウジング２０の本体部とディスプレイ２とは直接的に回路線が連結される。
【０１０８】
回路連結線８３、８３′をキャップ軸連結手段６１と挿入軸連結手段６２を通じて連結するので、回路連結線を保護することのみならず、回路連結線のための面積を減じることができる。
【０１０９】
図３３はキャップ軸連結手段と挿入軸連結手段のまた他の実施形態を表す図である。
【０１１０】
パネルハウジング２０が本体部を形成し、パネルハウジング４０はパネルハウジング２０に付属された形態に形成されている。パネルハウジング２０には入力装置として入力ボタン１１０とメニュー選択ボタン７０が設けられる。
【０１１１】
キャップ軸連結手段６１′と挿入軸連結手段６２′の構造と回路連結線８３、８３′の配列は上記と同一である。
【０１１２】
図３４はキャップ軸連結手段と挿入軸連結手段を詳細に示す。
【０１１３】
即ち、キャップ軸連結手段６１′の内部に挿入軸連結手段６２′が挿入される。
【０１１４】
図３５および図３６は第２パネルハウジングと挿入軸連結手段を示す。
【０１１５】
図３５はパネルハウジングと挿入軸連結手段が結合された形態であって、図３６は分離された形態である。図面で示したように、連結切開部６ａ′と挿入軸連結手段６２′が合う部分に挿入切開口６ｃ′と切開挿入口６２ｄ′が設けられる。
【０１１６】
挿入連結口６２ａ′は切開挿入口６２ｄ′の反対側にある。切開挿入口６２ｄ′が第４領域に位置すると、挿入連結口６２ａ′は第１、２、３領域にかけて存在する。
【０１１７】
即ち、キャップ軸連結手段６１′の半分若しくは一部がパネルハウジング２０の表面２０ｃの下側に形成され、挿入軸連結手段６２′はパネルハウジング４０に形成される。パネルハウジングが折り畳まれるとき、キャップ回路口６１ａ′と合う挿入軸連結手段６２′の部分と、パネルハウジングが広げられる時、キャップ回路口６１′と合う挿入軸６２′のすべての部分に掛けて挿入連結口６２ａ′が形成される。
【０１１８】
図３７は第１パネルハウジングとキャップ軸連結手段を表した。
【０１１９】
キャップ軸連結手段６１′の一部若しくは折半がパネルハウジング２０の表面２０ｃの下側に形成され、キャップ軸連結手段６１′と第１パネルハウジングが合う部分にキャップ回路口６１ａ′が形成される。
【０１２０】
そして、キャップ軸連結手段６１′と挿入軸連結手段６２′が結合される時、挿入軸連結手段６２′が位置するための連結切開部６ａ′が第２パネルハウジング２０に形成される。
【０１２１】
図３３〜３７に示された回路連結線８３、８３′の挿入軸連結手段６２′とキャップ軸連結手段６１′を連結する方法は、図１２および図１３に示された挿入軸連結手段６２とキャップ連結手段６１に回路連結線８３、８３を連結する方法と同一である。
【０１２２】
図３８は第１パネルハウジングに挿入軸連結手段が備わった実施形態を示した。
【０１２３】
挿入軸連結手段６２′の折半若しくは一部が第１パネルハウジング２０の表面２０ｃの下側に形成され、キャップ軸連結手段６１′は第２パネルハウジング４０の連結切開部６ａ′に形成される。前記挿入軸連結手段６２′とキャップ軸連結手段６１′が結合される時、第１パネルハウジング２０にキャップ軸連結手段６１′が位置することができる連結切開部６ａが形成される。
【０１２４】
図３９〜４１は固定軸と回転軸を有する本発明の他の実施形態を示した。
【０１２５】
図３９および図４０は二つの回転バー７１、７２によって折り畳まれるように連結されたパネルハウジング２０、４０を示した。
【０１２６】
図４１はパネルハウジングと回転バー７１、７２を表した図である。回転バー７１、７２の一端は固定突起７１ｂ、７２ｂが形成されて、パネルハウジング２０、４０に形成された固定溝７１ｃ、７２ｃに固定されるように付着される。回転バー７１、７２の他端は回転できるように結合される回転部７１ａ、７２ａが形成される。回転部７１ａは孔からなって、回転部７２ａは突起からなって回転軸の役割をする。
【０１２７】
回転部７１ａ、７２ａの回転軸の中心は図２１〜２４に示した回転中心とその位置が同一になる。図面で回転中心Ｋは回転軸の１／３以内に位置する。
【０１２８】
図４２および図４３は回転軸のまた他の実施形態を示した。
【０１２９】
図４２は回転軸を示した。
【０１３０】
二つのキャップ軸連結手段６１−１、６１−２の内部に中心軸６２−１が備わる。
【０１３１】
また、二つの連結手段６１−１、６１−２は各々パネルハウジング２０、４０に形成された連結切開部６ａに付着されて、連結手段は中心軸６２−１を中心に回転する。中心軸６２−１はパネルハウジングの連結切開部に付着される。
【０１３２】
図４３は二つの連結手段６１−１、６１−２と中心軸を分離した図である。連結手段６１−１、６１−２には回路口６１−１ａ、６１−２ａが備わって回路連結線の通路になる。前記回路口６１−１ａ、６１−２ａは中心軸６２−１の挿入連結口６２ａと連結される。
【０１３３】
各々の回路口６１−１ａ、６１−２ａは連結手段６１−１、６１−２の周りの１／４に掛けて回路連結線８３の通路になるように形成される。二つの中心回路口６２−１ａ、６２−１ｂは中心軸６２−１の周りの１／２に掛けて回路連結線８３の通路になるように形成される。回路口６１−１ａ、６１−２ａと中心回路口６２−１ａ、６２−１ｂは互いに対称に配置される。
【０１３４】
中心軸６２−１と二つのキャップ軸連結手段６１−１、６１−２はパネルハウジングの連結切開部６ａに結合されて、連結切開部の回路口６ｂとキャップ軸連結手段の回路口６１−１ａ、６１−２ａは互いに連結される。
【０１３５】
また、中心軸の横方が連結切開部６ａの底部またはパネルハウジング２０、４０の外部と付着されて中心軸６２−１が回転中心になるようにする。
【０１３６】
本発明は前記実施形態に限定ではなく、本発明の技術的思想の範囲中で当分野の通常の知識を有する者によって様々な変形ができる。
【図１】
2011150356.tif 000003
【図２】
2011150356.tif 000004
【図３】
2011150356.tif 000005
【図４】
2011150356.tif 000006
【図５】
2011150356.tif 000007
【図６】
2011150356.tif 000008
【図７】
2011150356.tif 000009
【図８】
2011150356.tif 000010
【図９】
2011150356.tif 000011
【図１０】
2011150356.tif 000012
【図１１】
2011150356.tif 000013
【図１２】
2011150356.tif 000014
【図１３】
2011150356.tif 000015
【図１４】
2011150356.tif 000016
【図１５】
2011150356.tif 000017
【図１６】
2011150356.tif 000018
【図１７】
2011150356.tif 000019
【図１８】
2011150356.tif 000020
【図１９】
2011150356.tif 000021
【図２０】
2011150356.tif 000022
【図２１】
2011150356.tif 000023
【図２２】
2011150356.tif 000024
【図２３】
2011150356.tif 000025
【図２４】
2011150356.tif 000026
【図２５】
2011150356.tif 000027
【図２６】
2011150356.tif 000028
【図２７】
2011150356.tif 000029
【図２８】
2011150356.tif 000030
【図２９】
2011150356.tif 000031
【図３０】
2011150356.tif 000032
【図３１】
2011150356.tif 000033
【図３２】
2011150356.tif 000034
【図３３】
2011150356.tif 000035
【図３４】
2011150356.tif 000036
【図３５】
2011150356.tif 000037
【図３６】
2011150356.tif 000038
【図３７】
2011150356.tif 000039
【図３８】
2011150356.tif 000040
【図３９】
2011150356.tif 000041
【図４０】
2011150356.tif 000042
【図４１】
2011150356.tif 000043
【図４２】
2011150356.tif 000044
【図４３】
2011150356.tif 000045